(57)【特許請求の範囲】
【請求項１】
複数の板状のデッキボードを並列に配置して形成された矩形状の載置面を有するデッキボードユニットと、該デッキボードユニットが搭載され床面に載置されるベースユニットとを備えた寸法可変パレットであって、
前記デッキボードユニットは、複数の板状若しくは棒状のアームを複数の枢軸ピンにより回転可能に連結して構成され、前記デッキボードを前記枢軸ピンにより支持するリンク機構と、前記リンク機構の枢軸ピンを移動可能に支持する第１ジャッキ機構とを有し、
前記ベースユニットは、前記デッキボードの短手方向における位置が固定された下部ベースと、前記複数のデッキボードのうち少なくとも両端に配置されたデッキボードを固定して支持するとともに、前記下部ベースに取り付けられたブロック材を中心として対配置され、前記下部ベースに対し前記デッキボードの短手方向に往復動作可能な支持部と、前記下部ベースと前記支持部とを前記デッキボードの短手方向に摺動自在に係合させる係合手段とを有し、
前記第１ジャッキ機構が前記支持する枢軸ピンを移動させ、前記リンク機構の交差角を変えることにより、前記支持部は前記少なくとも両端に配置されたデッキボードと共に前記デッキボードの短手方向に沿って移動し、
前記リンク機構に支持された各デッキボードは、その向きが揃えられた状態で、前記短手方向と平行に移動し、隣接する該デッキボード同士の間隔が変わって前記載置面の大きさの変更ができるようになっていることを特徴とする寸法可変パレット。
【請求項２】
複数の板状のデッキボードを並列に配置して形成された矩形状の載置面を有するデッキボードユニットと、該デッキボードユニットが搭載され床面に載置されるベースユニットとを備えた寸法可変パレットであって、
前記デッキボードユニットは、複数の板状若しくは棒状のアームを複数の枢軸ピンにより回転可能に連結して構成され、前記デッキボードを前記枢軸ピンにより支持すると共に、該デッキボードの短手方向に伸縮するパンタグラフ機構と、前記パンタグラフ機構の枢軸ピンを移動可能に支持する第１ジャッキ機構とを有し、
前記ベースユニットは、前記デッキボードの短手方向における位置が固定された下部ベースと、前記複数のデッキボードのうち少なくとも両端に配置されたデッキボードを固定して支持するとともに、前記下部ベースに取り付けられたブロック材を中心として対配置され、前記下部ベースに対し前記デッキボードの短手方向に往復動作可能な支持部と、前記下部ベースと前記支持部とを前記デッキボードの短手方向に摺動自在に係合させる係合手段とを有し、
前記第１ジャッキ機構が前記支持する枢軸ピンを移動させ、前記パンタグラフ機構を伸縮させることにより、前記支持部は前記少なくとも両端に配置されたデッキボードと共に前記デッキボードの短手方向に沿って移動し、
前記パンタグラフ機構に支持された各デッキボードは、その向きが揃えられた状態で、前記短手方向と平行に移動し、隣接する該デッキボード同士の間隔が変わって前記載置面の大きさの変更ができるようになっていることを特徴とする寸法可変パレット。
【請求項３】
前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、
前記複数のデッキボードは、前記長手方向の途中で２分割され、該２分割された一方が前記一対のベース部の一方に取り付けられ、該２分割された他方が前記一対のベース部の他方に取り付けられ、
前記第２ジャッキ機構により前記一対のベース部を前記デッキボードの長手方向に移動させることにより、前記複数のデッキボードの短手側の両端部を揃えた状態で当該デッキボードを前記長手方向に移動させて前記載置面の大きさの変更ができるようになっていることを特徴とする請求項１または請求項２のいずれかに記載の寸法可変パレット。
【請求項４】
前記ベースユニットは、前記寸法可変パレットの中央部に配置されたＸ字状の第２リンク部材と、該第２リンク部材の両端部にそれぞれ取り付けられた一対のベース部とを備え、
前記第２リンク部材は、一対の板状若しくは棒状のアームをＸ字状に交差させその交差部を第３枢軸ピンで回転可能に連結させることにより構成され、
前記第２リンク部材の交差部の角度を変えることにより、前記一対のベース部が該第２リンク部材を挟んで前記デッキボードの長手方向を往復移動できるようになっており、
前記複数のデッキボードは、前記長手方向の途中で２分割され、該２分割された一方が前記一対のベース部の一方に取り付けられ、該２分割された他方が前記一対のベース部の他方に取り付けられ、
前記第２リンク部材の交差部の角度を変えて前記一対のベース部を前記デッキボードの長手方向に移動させることにより、各デッキボードの短手側の両端部を揃えた状態で当該デッキボードを前記長手方向に移動させて前記載置面の大きさの変更ができるようになっていることを特徴とする請求項１または請求項２のいずれかに記載の寸法可変パレット。
【請求項５】
前記第２リンク部材を構成する一対のアームは、長板状の基部と、該基部の長尺側の端部から上方に向けて折れ曲がって延びる支持片を有し、
前記支持片が、前記ベースユニットの上に取り付けられる前記デッキボードの裏面を支持するようになされていることを特徴とする請求項４に記載の寸法可変パレット。
【請求項６】
複数の板状のデッキボードを並列に配置して形成された矩形状の載置面を有するデッキボードユニットと、該デッキボードユニットが搭載され床面に載置されるベースユニットとを備えた寸法可変パレットであって、
前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、
前記１対のベース部の上面に、前記デッキボードユニットが載架され、
前記デッキボードユニットを構成する複数のデッキボードは、いずれも、前記一対のベース部のうちいずれか一方であって且つ隣接して配置されたデッキボードと異なるベース部に固定され、
前記第２ジャッキ機構により前記一対のベース部を前記長手方向に移動させることにより、前記デッキボードを前記長手方向に移動させて前記載置面の大きさの変更ができるようになっていることを特徴とする寸法可変パレット。
【請求項７】
前記ベースユニットは、床面に載置される複数の脚部を有し、
前記複数の脚部の間に、該ベースユニットの側面からフォークリフトのフォーク爪を挿入可能な空間部が形成されていることを特徴とする請求項１乃至請求項６のいずれかに記載の寸法可変パレット。
【発明の詳細な説明】
【技術分野】
【０００１】
本発明は、寸法可変パレットに関し、例えば、荷物の大きさに応じて載置面積を調整できる寸法可変パレットに関する。
【背景技術】
【０００２】
従来から、荷物の大きさに応じて載置面の大きさ（面積）を調整できるように構成された寸法可変パレットが知られており、特許文献１にその構成が開示されている。
ここで、特許文献１に記載された寸法可変パレットについて、図２８に基づいて説明する。
【０００３】
図示するように、寸法可変パレット２００は、両端部の裏面に横木２１６を取り付けた複数の板材２１０をＹ軸方向に平行に並べ、各板材２１０の間に、同じく両端部の裏面に横木２１６を取り付けた板材を長手方向（Ｘ軸方向）の途中で２分割した分割板材２１１ａ、２１１ｂを介在させ、隣り合う板材２１０と分割板材２１１ａ、２１１ｂとをそれぞれ「くの字状」のリンク機構２１２により結合して縦横方向（ＸＹ方向）に変位自在となるように構成されている。
なお、「くの字状」のリンク機構２１２は、板材２１０及び分割板材２１１ａ、２１１ｂのＸ軸方向に所要間隔を隔てた複数個所に取り付けられ、互いに隣り合う板材２１０と分割板材２１１ａ、２１１ｂとをそれぞれ結合して一体化させている。
そして、前記リンク機構２１２により、中央に配置された板材２１０を中心として、両脇の板材２１０がＹ軸方向へ、分割板材２１１ａ、２１１ｂがＸ軸方向へそれぞれ相対変位自在に動作できるようになっている。
【０００４】
また、寸法可変パレット２００の裏面には、摺接可能に隣接された内側桟２１９と外側桟２２０とからなる一対の桟２１８がＹ方向と平行に配置されている。
また、内側桟２１９及び外側桟２２０には、その長手方向に複数のボルト孔が設けられ、内側桟２１９の任意のボルト孔と、外側桟２２０の任意のボルト孔にボルトを挿通してナットにて締め付けることにより内側桟２１９と外側桟２２０を一体化させることができるようになっている。
【０００５】
そして、板材２１０と分割板材２１１ａ、２１１ｂを伸長（或いは縮小）させたときに内側桟２１９と外側桟２２０の任意のボルト孔にボルトを挿入して固定することで、板材２１０と分割板材２１１ａ、２１１ｂを伸長した姿勢（或いは縮小した姿勢）で固定できるようになっている。
【０００６】
上記のように構成された寸法可変パレット２００によれば、荷物の大きさに応じて載置面の大きさを調節することができ、倉庫やトラックの荷台等のスペースに効率良く配置することができる。その結果、寸法可変パレット２００を用いることにより、物流工程の省エネルギー化を実現することができる（配送回数を減少させて、物流コスト（燃料費や人件費等のコスト）を低減させることができる）。
また、寸法可変パレット２００によれば、載置面の大きさを変更できるため（荷物の大きさ毎に、パレットを準備しなくてもいいため）、パレットのリユースが効率的に行えるようになる（省資源化を実現することができる）。
【先行技術文献】
【特許文献】
【０００７】
【特許文献１】特開平８−２１７０７１号公報
【発明の概要】
【発明が解決しようとする課題】
【０００８】
しかしながら、上述した従来技術の寸法可変パレット（図２８参照）は、以下に示す技術的課題を有している。
具体的には、上述した従来技術の寸法可変パレット２００は、Ｘ方向について、板材２１０の側面に配置された分割板材２１１ａ、２１１ｂだけが変位するように構成されている。
そのため、図２８（ｂ）に示すように、寸法可変パレット２００は、載置面を拡大した場合に、板材２００に対して分割板材２１１ａ、２１１ｂの端部が突出した状態になり（図示する左右の縁辺部が凸凹形状になり）、突出した分割板材２１１ａ、２１１ｂの端部（図中の破線Ｗで示す領域）の剛性が確保できないという技術的課題を有していた。
その結果、寸法可変パレット２００では、載置面を拡大した場合に、分割板材２１１ａ、２１１ｂの端部（破線Ｗで示す領域）に、重量の大きい荷物を載置できないことがあった。
また、寸法可変パレット２００では、載置面を拡大させた状態（図２８（ｂ）に示す状態）にして、小型の荷物を多数載置しようとしても、前記破線Ｗで示す領域に荷物を載置できなかった。
すなわち、上記寸法可変パレット２００は、載置面を拡大しても、荷物を置けない所謂デッドスペースができてしまい、載置面の有効活用ができなかった。
【０００９】
また、上述した寸法可変パレット２００は、載置面の大きさを調整する場合に、リンク機構２１２を動かして載置面の大きさを変更した後、板材２１０及び分割板材２１１ａ、２１１ｂの裏面に設けられた桟２１８（内側桟２１９及び外側桟２２０）のボルト孔にボルトを挿入し締結する作業（以下、「ロック作業」という）を行う必要があり、その手間が面倒であると共に、調節作業に長時間かかってしまい使い勝手が悪かった。
【００１０】
本発明は、上記技術的課題を解決するためになされたものであり、本発明の目的は、荷物を載置する載置面の大きさを変更できる寸法可変パレットであって、載置面の大きさを変更しても、荷物が載置できないデッドスペースを小さくすることができる寸法可変パレットを提供することにある。
【課題を解決するための手段】
【００１１】
上記課題を解決するためになされた本発明の第１態様は、複数の板状のデッキボードを並列に配置して形成された矩形状の載置面を有するデッキボードユニットと、該デッキボードユニットが搭載され床面に載置されるベースユニットとを備えた寸法可変パレットであって、前記デッキボードユニットは、複数の板状若しくは棒状のアームを複数の枢軸ピンにより回転可能に連結して構成され、前記デッキボードを前記枢軸ピンにより支持するリンク機構と、前記リンク機構の枢軸ピンを移動可能に支持する第１ジャッキ機構とを有し、前記ベースユニットは、前記デッキボードの短手方向における位置が固定された下部ベースと、前記複数のデッキボードのうち少なくとも両端に配置されたデッキボードを固定して支持するとともに、前記下部ベースに取り付けられたブロック材を中心として対配置され、前記下部ベースに対し前記デッキボードの短手方向に往復動作可能な支持部と、前記下部ベースと前記支持部とを前記デッキボードの短手方向に摺動自在に係合させる係合手段とを有し、前記第１ジャッキ機構が前記支持する枢軸ピンを移動させ、前記リンク機構の交差角を変えることにより、前記支持部は前記少なくとも両端に配置されたデッキボードと共に前記デッキボードの短手方向に沿って移動し、前記リンク機構に支持された各デッキボードは、その向きが揃えられた状態で、前記短手方向と平行に移動し、隣接する該デッキボード同士の間隔が変わって前記載置面の大きさの変更ができるようになっていることを特徴としている。
【００１２】
このように、本発明の第１態様の寸法可変パレットは、前記リンク機構の交差角を変えることにより、各デッキボードの向きを揃えた状態で、前記短手方向と平行に、前記デッキボード及び前記支持部を移動させて隣接する該デッキボード同士の間隔を変えて前記載置面の大きさの変更ができるようになっている。
すなわち、本発明によれば、上述した従来技術（図２８（ｂ）参照）のように、載置面の大きさを変えても縁辺部が凸凹形状になることがなく、載置面を略矩形状に保つことができるため（載置面に大きなデッドスペースが形成されることがないため）、載置面を有効活用できる寸法可変パレットを提供することができる。
【００１３】
また、このように本発明の第１態様では、第１ジャッキ機構（例えば、ネジ式ジャッキや油圧式ジャッキにより構成される）によりリンク機構の交差角を可変できるため、第１ジャッキ機構を操作することでリンク機構が支持しているデッキボードを移動させることができる。
すなわち、本発明によれば、第１ジャッキ機構によりデッキボード１０を移動させているため、「ミリ単位」でのデッキボードの移動が可能になり、載置面の大きさの設定を高精度に行うことができる。
【００１４】
また、第１態様では、第１ジャッキ機構によりデッキボードを移動させているため、デッキボードを移動させるための労力が軽減される。
また、第１ジャッキ機構によりデッキボードを移動させているため、デッキボードの載置面に荷物を載置した状態のままで、第１ジャッキ機構を操作し載置面の大きさを微調整することができる（載置した荷物をどかさなくても、微調整ができるため、作業負担が軽減される）。
また、第１ジャッキ機構によれば、デッキボードの移動動作と固定動作を一緒に（同じ操作で）行うことができるため、上述した従来技術のような面倒なロック作業が不要になる。すなわち、第１ジャッキ機構を操作すれば、リンク機構に支持された各デッキボードを短手方向に移動させて所望の位置に固定することができる。
【００１５】
また、上記課題を解決するためになされた本発明の第２態様は、複数の板状のデッキボードを並列に配置して形成された矩形状の載置面を有するデッキボードユニットと、該デッキボードユニットが搭載され床面に載置されるベースユニットとを備えた寸法可変パレットであって、前記デッキボードユニットは、複数の板状若しくは棒状のアームを複数の枢軸ピンにより回転可能に連結して構成され、前記デッキボードを前記枢軸ピンにより支持すると共に、該デッキボードの短手方向に伸縮するパンタグラフ機構と、前記パンタグラフ機構の枢軸ピンを移動可能に支持する第１ジャッキ機構とを有し、前記ベースユニットは、前記デッキボードの短手方向における位置が固定された下部ベースと、前記複数のデッキボードのうち少なくとも両端に配置されたデッキボードを固定して支持するとともに、前記下部ベースに取り付けられたブロック材を中心として対配置され、前記下部ベースに対し前記デッキボードの短手方向に往復動作可能な支持部と、前記下部ベースと前記支持部とを前記デッキボードの短手方向に摺動自在に係合させる係合手段とを有し、前記第１ジャッキ機構が前記支持する枢軸ピンを移動させ、前記パンタグラフ機構を伸縮させることにより、前記支持部は前記少なくとも両端に配置されたデッキボードと共に前記デッキボードの短手方向に沿って移動し、前記パンタグラフ機構に支持された各デッキボードは、その向きが揃えられた状態で、前記短手方向と平行に移動し、隣接する該デッキボード同士の間隔が変わって前記載置面の大きさの変更ができるようになっていることを特徴としている。
【００１６】
このように、本発明の第２態様は、デッキボードを支持するパンタグラフ機構を伸縮させることにより、各デッキボードの向きを揃えた状態で、デッキボードの短手方向と平行に、デッキボード及び支持部を移動させて隣接するデッキボード同士の間隔を変えて前記載置面の大きさの変更ができるようになっている。
そのため、本発明の第２態様によれば、上記の第１態様と同様、載置面の大きさを変えても縁辺部が凸凹形状になることがなく、載置面を略矩形状に保つことができるため載置面を有効活用できる寸法可変パレットを提供することができる。
【００１７】
また、このように、第２態様では、第１ジャッキ機構を採用しているため、上述した第１態様と同様、載置面の大きさの設定を高精度に行うことができる。また、デッキボードに荷物を載置した状態のままで載置面の大きさを微調整することができる。また、上述したように、デッキボードの移動動作と固定動作を一緒に行うことができるため、上述した従来技術のような面倒なロック作業が不要になる。
【００１８】
また、前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、前記複数のデッキボードは、前記長手方向の途中で２分割され、該２分割された一方が前記一対のベース部の一方に取り付けられ、該２分割された他方が前記一対のベース部の他方に取り付けられ、前記第２ジャッキ機構により前記一対のベース部を前記デッキボードの長手方向に移動させることにより、前記複数のデッキボードの短手側の両端部を揃えた状態で当該デッキボードを前記長手方向に移動させて前記載置面の大きさの変更ができるようになっていることが望ましい。
【００１９】
上記構成によれば、載置面の大きさの調節を「デッキボードの長手方向」及び「デッキボードの短手方向」のいずれにも調節することができると共に、面倒な作業をすることなく調節した載置面を固定することができる。
【００２０】
また、前記ベースユニットは、前記寸法可変パレットの中央部に配置されたＸ字状の第２リンク部材と、該第２リンク部材の両端部にそれぞれ取り付けられた一対のベース部とを備え、前記第２リンク部材は、一対の板状若しくは棒状のアームをＸ字状に交差させその交差部を第３枢軸ピンで回転可能に連結させることにより構成され、前記第２リンク部材の交差部の角度を変えることにより、前記一対のベース部が該第２リンク部材を挟んで前記デッキボードの長手方向を往復移動できるようになっており、前記複数のデッキボードは、前記長手方向の途中で２分割され、該２分割された一方が前記一対のベース部の一方に取り付けられ、該２分割された他方が前記一対のベース部の他方に取り付けられ、前記第２リンク部材の交差部の角度を変えて前記一対のベース部を前記デッキボードの長手方向に移動させることにより、各デッキボードの短手側の両端部を揃えた状態で当該デッキボードを前記長手方向に移動させて前記載置面の大きさの変更ができるようになっていることが望ましい。
【００２１】
上記構成により、載置面の大きさを「デッキボードの長手方向」及び「デッキボードの短手方向」のいずれにも調節することができる。
そのため、本発明の第２態様によれば、載置対象の荷物に形状に合わせて最適な大きさになるように載置面を調節することができる。
なお、上述した従来技術の寸法可変パレット２００（図２８参照）では、リンク機構２１２により、二方向（Ｘ―Ｙ方向）に同時に伸縮するようになっており、一方向の長さ寸法だけを変更できないため、載置する荷物の形状によっては、最適な大きさに載置面を調節できないことがあった。
【００２２】
また、前記第２リンク部材を構成する一対のアームは、長板状の基部と、該基部の長尺側の端部から上方に向けて折れ曲がって延びる支持片を有し、前記支持片が、前記ベースユニットの上に取り付けられる前記デッキボードの裏面を支持するようになされていることが望ましい。
上記の構成によれば、寸法可変パレットの中央部に配置された第２リンク部材のアームに、デッキボードの裏面を支持する支持片を形成しているため、寸法可変パレットの載置面の中央部近傍の剛性を確保することができる。
【００２３】
また、上記課題を解決するためになされた本発明の第３態様は、複数の板状のデッキボードを並列に配置して形成された矩形状の載置面を有するデッキボードユニットと、該デッキボードユニットが搭載され床面に載置されるベースユニットとを備えた寸法可変パレットであって、前記ベースユニットは、前記寸法可変パレットの中央部に配置された第２ジャッキ機構と、前記第２ジャッキ機構の両側に取り付けられた一対のベース部とを備え、前記第２ジャッキ機構により、前記一対のベース部が前記第２ジャッキ機構を挟んで前記デッキボードの長手方向を往復移動できるようになっており、前記１対のベース部の上面に、前記デッキボードユニットが載架され、前記デッキボードユニットを構成する複数のデッキボードは、いずれも、前記一対のベース部のうちのいずれか一方であって且つ隣接して配置されたデッキボードと異なるベース部に固定され、前記第２ジャッキ機構により前記一対のベース部を前記長手方向に移動させることにより、前記デッキボードを前記長手方向に移動させて前記載置面の大きさの変更ができるようになっていることを特徴としている。
【００２４】
このように本発明の第３態様によれば、第２ジャッキ機構（例えば、パンタグラフジャッキ）によりデッキボードを長手方向に移動させて載置面の大きさの変更ができるようになっているため、載置面の大きさの設定を高精度に行うことができると共に、載置面の調節作業の労力を軽減することができる。
また、前記ベースユニットは、床面に載置される複数の脚部を有し、前記複数の脚部の間に、該ベースユニットの側面からフォークリフトのフォーク爪を挿入可能な空間部が形成されていることが望ましい。
【発明の効果】
【００２５】
本発明によれば、荷物を載置する載置面の大きさを変更できる寸法可変パレットであって、載置面の大きさを変更しても、荷物が載置できないデッドスペースを小さくすることができる寸法可変パレットを提供することができる。
【図面の簡単な説明】
【００２６】
【図１】本発明の実施形態の寸法可変パレットを上方から見た斜視図である。
【図２】本発明の実施形態の寸法可変パレットを展開して示した模式図である。
【図３】本発明の実施形態の寸法可変パレットの載置面の大きさをＸ方向に広げている様子を示した模式図である。
【図４】本発明の実施形態の寸法可変パレットの載置面の大きさをＹ方向に広げている様子を示した模式図である。
【図５】本発明の実施形態のベースユニットを上面から見た模式図である。
【図６】図５のＡ−Ａ断面図である。
【図７】図５のＢ−Ｂ断面図である。
【図８】本発明の実施形態のベースユニットを構成するベースガイドを示した模式図である。
【図９】本発明の実施形態のベースユニットの脚部を構成する角コマ部を示した模式図である。
【図１０】本発明の実施形態のベースユニットの脚部を構成する丸コマ部を示した模式図である。
【図１１】本発明の実施形態のベースユニットの下部ベース及び摺動板の模式図である。
【図１２】本発明の実施形態のベースユニットの下部ベースと摺動板との嵌合構造を説明するための模式図である。
【図１３】本発明の実施形態のベースユニットのパンタグラフジャッキを下面側から見た模式図である。
【図１４】本発明の実施形態のベースユニットのパンタグラフジャッキのアームの構成を示した模式図である。
【図１５】本発明の実施形態のパンタグラフジャッキのネジ式のジャッキ機構の構成を示した模式図である。
【図１６】本発明の実施形態のパンタグラフジャッキのネジ式のジャッキ機構の構成を示した模式図である。
【図１７】本発明の実施形態のベースユニットの動作にともない移動する丸コマ部の位置を説明するための模式図である。
【図１８】本発明の実施形態のベースユニットの動作にともない移動する丸コマ部とフォーク爪との位置関係を説明するための模式図である。
【図１９】本発明の実施形態のデッキボードユニットの構造を示した模式図である。
【図２０】本発明の実施形態のデッキボードユニットの第１外側デッキボードの構造を示した模式図である。
【図２１】本発明の実施形態のデッキボードユニットの第１内側デッキボードの構造を示した模式図である。
【図２２】本発明の実施形態のデッキボードユニットのジャッキ機構の模式図である。
【図２３】本発明の実施形態のデッキボードユニットのジャッキ機構の模式図である。
【図２４】本発明の実施形態のデッキボードユニットを構成するパンタグラフ機構とジャッキ機構との接続構造を説明するための模式図である。
【図２５】本発明の実施形態のデッキボードユニットを構成するパンタグラフ機構とジャッキ機構との接続構造を説明するための模式図である。
【図２６】本実施形態のデッキボードユニットを構成するパンタグラフ機構の模式図である。
【図２７】本実施形態の寸法可変パレットの変形例を示した模式図である。
【図２８】従来技術の寸法可変パレットの構成を示した模式図であり、（ａ）は、寸法可変パレットを最小寸法にした状態を示した模式図であり、（ｂ）は、寸法可変パレットを最大寸法にした状態を示した模式図である。
【発明を実施するための形態】
【００２７】
以下、本発明の実施形態の寸法可変パレットについて図面に基づいて説明する。
先ず、本実施形態の寸法可変パレットＰの概略構成について図１乃至図４を用いて説明する。
図１は、本発明の実施形態の寸法可変パレットを上方から見た斜視図である。また、図２は、本発明の実施形態の寸法可変パレットを展開して示した模式図であり、図２（ａ）は、本実施形態の寸法可変パレットを構成する第１ユニットの模式図であり、図２（ｂ）は、本実施形態の寸法可変パレットを構成する第２ユニットの模式図である。
また、図３は、本発明の実施形態の寸法可変パレットの載置面の大きさをＸ方向に広げている様子を示した模式図である。また、図４は、本発明の実施形態の寸法可変パレットの載置面の大きさをＹ方向に広げている様子を示した模式図である。
【００２８】
図１及び図２に示すように、寸法可変パレットＰ（以下、単に「パレットＰ」という）は、荷物が載置される載置面Ｒを有するデッキボードユニット１と、デッキボードユニット１が搭載されるベースユニット５とを備えている。なお、ベースユニット５が床面や地面に載置されるようになっている。
また、前記載置面Ｒは、図示するＹ方向に沿って並列に配置された複数の長板状のデッキボード１０により平面視矩形状に形成されている。
なお、以下では、説明の便宜上、図示する「Ｘ方向」を「パレットＰの長さ方向（又はデッキボード１０の長手方向）」といい、「Ｙ方向」を「パレットＰの幅方向（又はデッキボード１０の短手方向）」という。
【００２９】
また、デッキボードユニット１は、図２（ａ）に示すように、並列に配置された複数のデッキボード１０と、当該デッキボード１０の短手方向（Ｙ方向）に配置され且つデッキボード１０の裏面を支持する一対（２個）のパンタグラフ機構２０ａ、２０ｂと、パンタグラフ機構２０ａ、２０ｂに取り付けられ当該パンタグラフ機構２０ａ、２０ｂを前記短手方向（Ｙ方向）に伸縮させるジャッキ機構３０とを備えている。
なお、一対のパンタグラフ機構２０ａ、２０ｂは、デッキボード１０の裏面において並列に配置され、ジャッキ機構３０により、シンクロ（同期）して伸縮動作をするようになっている。また、パンタグラフ機構２０ａとパンタグラフ機構２０ｂとは同様の構造に形成されている。
上記構成により、パンタグラフ機構２０（２０ａ、２０ｂ）を伸縮動作させることで、パンタグラフ機構２０が支持する各デッキボード１０を図示するＹ方向に動作させることができる。
【００３０】
また、ベースユニット５は、図２（ｂ）に示すように、中央部に配置されたパンタグラフジャッキ５０と、パンタグラフジャッキ５０の両側に取り付けられた一対のベース部６０とを備え、一対のベース部６０がパンタグラフジャッキ５０を挟んでデッキボード１０の長手方向（Ｘ方向）を往復動作できるように形成されている。なお、一対のベース部６０は、互いに反対方向に移動するようになっている（一方のベース部６０は、他方のベース部と逆方向に移動するようになっている）。
また、ベース部６０の上面には、デッキボードユニット１を構成するデッキボード１０が載置されて取り付けられるようになっている。これにより、ベース部６０の前記往復動作にともない、前記上面に取り付けられたデッキボード１０を移動（図示するＸ方向に移動）させることができる。
【００３１】
そして、図３に示すように、パレットＰは、ベースユニット５に設けられたパンタグラフジャッキ（第２ジャッキ機構）５０を操作することにより、パンタグラフジャッキ５０の中心部（Ｘ方向における中心部（図中のＳｘ線））を挟んで、パレットＰの長手方向（Ｘ方向）に、デッキボード１０を移動させて載置面Ｒの大きさを変更できるようになっている。
なお、前記デッキボード１０の移動は、各デッキボード１０の短手側の両端部を揃えた状態でなされる。
また、図４に示すように、パレットＰは、デッキボードユニット１に設けられたジャッキ機構（第１ジャッキ機構）３０を操作することにより、各デッキボード１０の長手方向の向きを揃えた状態で、パンタグラフ機構２０の中心部（Ｙ方向における中心部（図３に示すＳｙ線）を挟んで、パレットＰの幅方向（Ｙ方向）に、各デッキボード１０を移動させて載置面Ｒの大きさの変更ができるようになっている。
【００３２】
このように、本実施形態のパレットＰは、各デッキボード１０の短手側の両端部を揃えた状態で、長さ方向（Ｘ方向）にデッキボード１０を移動させて載置面Ｒの大きさを変更できるようになっている。また、本実施形態のパレットＰは、各デッキボード１０の長手方向の向きを揃えた状態で、幅方向（Ｙ方向）に、デッキボード１０を移動させて載置面Ｒの大きさを変更できるようになっている。
すなわち、本実施形態のパレットＰは、上述した従来技術（図２９（ｂ）参照）のように、載置面Ｒの大きさを変更した場合に、載置面Ｒの縁辺部が凸凹形状になることがなく載置面Ｒが矩形状に保たれるため（デッドスペースが形成されないため）、載置面Ｒを有効活用することができる。
【００３３】
また、本実施形態のパレットＰは、載置面Ｒの大きさを「デッキボードの長手方向（Ｘ方向）」及び「デッキボードの短手方向（Ｙ方向）」のいずれにも調節することができる。そのため、本実施形態のパレットＰによれば、載置する荷物の形状に対応させた最適な大きさになるように載置面Ｒを調節することができる。
以下、本実施形態の寸法可変パレットＰの各部の構成を詳細に説明する。
【００３４】
先ず、ベースユニット５の構成を図５乃至図１８に基づいて説明する。
ここで、図５は、本実施形態のベースユニットを上面から見た模式図である。また、図６は、図５のＡ−Ａ断面図であり、図６（ａ）は、ベース部上の摺動板が閉じた状態を示した模式図であり、図６（ｂ）は、ベース部上の摺動板がＹ方向外側に開いた状態を示した模式図である。
図７は、図５のＢ−Ｂ断面図であり、図７（ａ）は、ベース部が閉じた状態を示した模式図であり、図７（ｂ）は、ベース部がＸ方向外側に開いた状態を示した模式図である。
また、図８は、本実施形態のベースユニットのベースガイドを示した模式図である。また、図９は、本実施形態のベースユニットの脚部を構成する角コマ部を示した模式図である。
また、図１０は、本実施形態のベースユニットの脚部を構成する丸コマ部を示した模式図である。また、図１１は、本実施形態のベースユニットの下部ベース及び摺動板の模式図である。また、図１２は、本実施形態のベースユニットの下部ベースと摺動板との嵌合構造を説明するための模式図である。
また、図１３は、本実施形態のベースユニットのパンタグラフジャッキを下面側から見た模式図である。また、図１４は、本実施形態のベースユニットのパンタグラフジャッキのアームの構成を示した模式図である。また、図１５及び図１６は、本実施形態のパンタグラフジャッキのネジ式のジャッキ機構の構成を示した模式図である。
また、図１７は、本実施形態のベースユニットの動作にともない移動する丸コマ部の位置を説明するための模式図である。また、図１８は、本実施形態のベースユニットの動作にともない移動する丸コマ部とフォーク爪との関係を説明するための模式図である。
【００３５】
図５乃至図７に示すように、ベースユニット５は、パンタグラフジャッキ５０と、一対のベース部６０とを備えている。また、パンタグラフジャッキ５０及びベース部６０は、床面（又は地面）に載置される脚部７０（丸コマ部（中央脚部）７０ａ、角コマ部７０ｂ、中コマ部７０ｃ）により支持されている。
また、ベースユニット５は、その中央部に配置されるパンタグラフジャッキ５０が、その中心部において丸コマ部７０ａにより支持されている。
また、パンタグラフジャッキ５０を挟んでその両端に配置される１対のベース部６０（ベース部６０を構成する下部ベース６１）は、それぞれ、その両端部（Ｙ方向における両端部）が角コマ部７０ｂに支持され、２つの角コマ部７０ｂの間の中心部（Ｙ方向における中心部）が中コマ部７０ｃ（図６参照）により支持されている。
【００３６】
このように、パレットＰは、角コマ部７０ｂと中コマ部７０ｃ（及び丸コマ部７０ａ）との間の空間部にフォークリフトのフォーク爪を差し込むことができるようになっている（図６参照）。すなわち、パレットＰのＹ方向側の側面Ｐ１、Ｐ２（図５参照）にフォーク爪を差し込んでパレットＰを運搬することがきるようになっている。
また、図７に示すように、角コマ部７０ｂと丸コマ部７０ａとの間の空間部にフォークリフトのフォーク爪を差し込むことができるようになっている。すなわち、パレットＰのＸ方向側の側面Ｐ３、Ｐ４（図５参照）にフォーク爪を差し込んでパレットＰを運搬することがきるようになっている。
このように、本実施形態のパレットＰは、フォーク爪の差し込み口が前後左右の４方向に形成された４方向差しパレットの仕様になっている。
以下、ベース部６０及びパンタグラフジャッキ５０の構成を説明する。
【００３７】
先ず、ベース部６０の構成を説明する。
図６及び図７に示すように、各ベース部６０は、その一端部がパンタグラフジャッキ５０に保持される下部ベース６１と、下部ベース６１の上面に摺動自在（Ｙ方向に摺動自在）に支持される１対（２枚）の摺動板（支持部）６２とを備えている。
なお、下部ベース６１及び摺動板６２は、例えば、木材により形成されている。
また、図５に示すように、各ベース部６０は、一端部（Ｘ方向における外側）に下部ベース６１に固定された外側ベースガイド８１が設けられ、他端部（Ｘ方向における内側（パンタグラフジャッキ５０側））に内側ベースガイド８２が設けられている。
【００３８】
また、外側ベースガイド８１は、図７及び図８に示すように、摺動板６２（及び後述するブロック材６５）の外側面（Ｘ方向における外側面）に当接するＬ型金具（鉄、ステンレス等の金属で形成されたＬ型金具）により形成されている。
また、一対のベース６０の一方に取り付けられる外側ベースガイド８１は、その上面の略中央部に板状のデッキボードストッパ８３が立設している。
なお、図８に示すように、外側ベースガイド８１の両端部には、切欠き８１ａが形成され、この切欠き８１ａに、角コマ部７０ｂの外周部に取り付けられるＬ型支持金具７１（図９参照）が当接するようになっている。
【００３９】
また、内側ベースガイド８２は、摺動板６２（及び後述するブロック材６５）の内側面（Ｘ方向における内側面）に当接するＬ型金具（鉄、ステンレス等で形成されたＬ型金具）により形成されている。
また、一対のベース６０のうちの一方に取り付けられる内側ベースガイド８２は、その上面の略中央部に板状のデッキボードストッパ８４が立設している。
【００４０】
そして、上記の外側ベースガイド８１及び内側ベースガイド８２により、下部ベース６１の上面に載置された摺動板６２のＸ方向の動作（下部ベース６１上での動作）が制限されるようになっていると共に、デッキボードユニット１の端部を支持し、その荷重を受けることが出来るようになっている。
また、上記のデッキボードストッパ部８３、８４は、Ｘ方向（即ちデッキボード１０の長手方向）と平行をなして配置され、ベースユニット５に取り付けられるデッキボード１０の動作（長手方向の動作）をガイドする役割を担う。
また、上記デッキボードストッパ部８３、８４により、パレットＰの中心部からＹ方向を外側に摺動板６２が移動した場合であっても、パレットＰのＹ方向の中心の位置に、常に、中コマ部７０ｃを保つことができるようになる。
なお、デッキボードストッパ部８３、８４は、鉄等の金属により形成され、例えば、溶接により外側ベースガイド８１（又は内側ベースガイド８２）に取り付けられている。
【００４１】
また、摺動板６２には、それぞれ、角コマ部７０ｂ（図６、図９参照）が取り付けられ、下部ベース６１の中心（Ｙ方向における中心）に中コマ部７０ｃ（図６参照）が取り付けられている。
また、図９に示すように、角コマ部７０ｂの外周部には、Ｌ型支持金具７１が取り付けられている。
なお、角コマ部７０ｂ、中コマ部７０ｃ及び上述した丸コマ部７０ａは、例えば、木材により形成されている。
【００４２】
また、図１１及び図１２に示すように、下部ベース６１は、矩形の板状に形成され、一方面（上面）の中央部（図示するＸ方向における中央部）にＹ方向に延びる第１ガイドレール６４が設けられている。
また、下部ベース６１は、図示するＹ方向における中央部であって、第１ガイドレール６４の両側に、それぞれ、直方体のブロック材６５が取り付けられている。このブロック材６５は、パレットＰの中心部からＹ方向を外側に摺動板６２が移動した場合に、デッキボードユニット１のＹ方向における中央部近傍の荷重を受ける役割を担っている。
また、ブロック材６５は、例えば、木材により形成され、その板厚が、摺動板６２の板厚と同じ大きさ寸法になされている。なお、図１１では、ベース部６０に取り付けられる脚部７０のうち、中コマ部７０ｃだけを示し、角コマ部７０ｂを省略している。
【００４３】
また、上記の第１ガイドレール６４は、中空の四角筒状に形成されている。また、第１ガイドレール６４の一方面（上面）には、第１ガイドレール６４の長尺の軸方向に沿って開口が形成され、後述するデッキボード１０の裏面に取り付けられたランナー１５（図１９参照）が摺動自在に挿入されるようになっている。
また、第１ガイドレール６４は、下部ベース６１の上面部に、その中央部（図示するＹ方向における中央部）だけが固定されている。
そして、第１ガイドレール６４は、下部ベース６１との相対向面のうち前記固定された中央部以外は、下部ベース６１との間に微少な隙間が形成され、その隙間に、摺動板６２の第２ガイドレール６２ｂの底面が挿入されるようになっている。
なお、第１ガイドレール６４は、例えば、ステンレス等の金属により形成されている。
【００４４】
また、図１１に示すように、摺動板６２は、その中央部（図示するＸ方向における中央部）に、Ｙ方向に延びる第２ガイドレール６２ｂが埋設されている。
具体的には、摺動板６２は、その中央部（図示するＸ方向における中央部）に、Ｙ方向に延びる断面視矩形状の溝６２ａ（図１２参照）が形成され、その溝６２ａに、中空の四角筒状に形成された第２ガイドレール６２ｂが内嵌されている。
また、第２ガイドレール６２ｂは、その内筒面が第１ガイドレール６４と外嵌する形状になされ、その一方面（上面）に、第２ガイドレール６２ｂの長尺の軸方向に沿って開口６２ｂ１（図１２参照）が形成されている。
なお、第２ガイドレール６２ｂは、例えば、ステンレス等の金属により形成されている。
また、摺動板６２は、その一端部に、第２ガイドレール６２ａの端部を塞ぐ板材６３（図１１参照）が取り付けられている。
【００４５】
そして、図１１に示すように、摺動板６２に埋設された第２ガイドレール６２ｂに、下部ベース６１に形成された第１ガイドレール６４が摺動自在に挿入される（図中の矢印方向に挿入される）ようになっている。
具体的には、図１２に示すように、下部ベース６１に形成された第１ガイドレール６４の外筒面に、摺動板６２の第２ガイドレール６２ｂの内筒面が摺動自在に嵌合するようになっている。
【００４６】
これにより、摺動板６２は、図６に示すように、下部ベース６１の上面に支持されると共に、図示するＹ方向（寸法可変パレットＰの幅方向）を摺動自在に移動できるようになる。
なお、図１１では、説明の都合上、摺動板６２を１枚だけ示し、下部ベース６１の一方側だけに取り付けているが、下部ベース６１の他方側にも摺動板６２が取り付けられる。
【００４７】
つぎに、パンタグラフジャッキ５０について説明する。
図１３に示すように、パンタグラフジャッキ５０は、２本のアーム（板状若しくは棒状のアーム）５１、５２をＸ字状に交差させたリンク部材５４と、リンク部材５４の両端部に取り付けられた一組の箱状のケース体５５、５６と、ケース体５５に設けられたジャッキ機構５７とを備えている。また、ケース体５５、５６には、それぞれ、下部ベース６１が取り付けられている。
【００４８】
また、上記ケース体５５の上下面の相対向する位置に、それぞれ、ケース体５５の長尺方向（Ｙ方向）に沿って延びるガイド溝５５ａが形成されている（図１５参照）。また、ケース体５６の下面には、ケース体５６の長尺方向に沿って延びるガイド溝５６ａが形成されている。
また、上記リンク部材５４は、２本のアーム５１、５２の交差部を枢軸ピン（第３枢軸ピン）５３ａにより回転自在に連結して構成され、その交差部が床面に載置される丸コマ部（中央脚部）７０ａに支持されている。
【００４９】
また、図１３に示すように、Ｘ字状のリンク部材５４の一端側（図中における下側）の端部のうちの一方（アーム５１の一端部）には枢軸ピン５３ｂ１が取り付けられ、当該枢軸ピン５３ｂ１が、ケース体５５の裏面に形成された孔５５ｄ（図１６参照）に回転自在に取り付けられている。
また、上記一端側の端部のうちの一方（アーム５２の一端部）に摺動ピン５３ｃ１が取り付けられ、当該摺動ピン５３ｃ１が、ケース体５５のガイド溝５５ａに摺動及び回転自在に挿入されている。
【００５０】
また、図１３に示すように、リンク部材５４の他端側（図中の上側）の端部のうちの一方（アーム５２の他端部）には枢軸ピン５３ｂ２が取り付けられ、当該枢軸ピン５３ｂ２が、ケース体５６の裏面に形成された孔（図示せず）に回転自在に取り付けられている。
また、上記他端側の端部のうちの一方（アーム５１の他端部）に摺動ピン５３ｃ２が取り付けられ、当該摺動ピン５３ｃ２が、ケース体５６のガイド溝５６ａに摺動及び回転自在に挿入されている。
上記の構成により、リンク部材５４の交差部の交差角を変更させることにより、リンク部材５４の両端のケース体５５、５６に取り付けられた下部ベース６１をＸ方向に移動させることができる。
【００５１】
また、図１５及び図１６に示すように、ケース体５５には、ジャッキ機構５７が設けられている。なお、ジャッキ機構５７は、周知の「ねじ式ジャッキ」の構造により実現されるものであるため、以下では簡略化して説明する。
【００５２】
具体的には、ジャッキ機構５７は、ケース体５５に短手側の一方の側面５５ｃを貫通してケース体５５の内部に配置されるスクリューロッド（棒状のボルト）５７ａと、前記側面５５ｃに設けられたスクリューロッド５７ａを固定するリング状の固定部材５７ｂと、スクリューロッド５７ａに挿通され且つスクリューロッド５７ａの軸方向（Ｙ方向）を往復移動する可動連結部５７ｃとを有している。
ここで、スクリューロッド５７ａは、棒状部にネジが形成されていると共に、その一端部に環状の操作部５７ａ１が形成され、操作部５７ａ１を回転操作することで軸線を中心に回転するようになっている。
【００５３】
また、可動連結部５７ｃは、スクリューロッド５７ａが挿通される貫通孔が形成され、その貫通孔の内周部に棒状部のネジに螺合するネジ部が形成されている。
また、可動連結部５７ｃの両端部が、リンク部材５４のアーム５２に取り付けられた摺動ピン５３ｃ１（図１３参照）に支持されている（これにより、可動連結部５７ｃにアーム５２が接続された状態になる）。なお、摺動ピン５３ｃ１は、ケース体５５に形成されたガイド溝５５ａに摺動自在に挿通されている。
そして、可動連結部５７ｃは、スクリューロッド５７ａの回転にともない、スクリューロッド５７ａの軸上を軸線方向（Ｙ方向）に沿って往復移動するようになっている。
【００５４】
上記の構成により、ジャッキ機構５７の操作部５７ａ１を回転させることで（これにより、スクリューロッド５７ａが軸線を中心に回転する）、可動連結部５７ｃ及び可動連結部５７ｃに接続されたリンク部材５４のアーム５２を移動させ、リンク部材５４の交差角を変更することができる。これにより、リンク部材５４の両端に取り付けられた下部ベース６１をＸ方向に移動させて所望の位置に固定することができる。
【００５５】
このように、本実施形態では、パンタグラフジャッキ５０により、下部ベース６１を移動させているため、下部ベース６１の移動及び固定を同時に行うことができる。
すなわち、本実施形態によれば、上述した従来技術のような面倒なロック作業（ボルトを締結する作業）を行う必要がなく、作業者の負担が軽減されるとともに、載置面Ｒの大きさの調節作業に費やされる時間を短縮することができる。
なお、本実施形態で示したパンタグラフジャッキ５０の構成は、あくまでも一例に過ぎない。１対の下部ベース部６１をＸ方向に移動できるものであれば、どのような構成のものでもかまわない。
【００５６】
さらに、本実施形態では、パンタグラフジャッキ５０のアーム５１、５２を以下のように構成することで、パレットＰの中心部近傍の剛性を高めている。
具体的には、図１４に示すように、アーム５１は、長板状（長方形の板状）の基部５１ａと、基部５１ａの長尺側の一端部から上方に向け直角に折れ曲がって立設した支持片５１ｂとを有している。
また、アーム５２は、長板状（長方形の板状）の基部５２ａと、基部５２ａの長尺側の一端部から上方に向け直角に折れ曲がって立設した支持片５２ｂとを有している。
【００５７】
そして、上記の支持片５１ｂ、５２ｂが、ベースユニット５の上に載置されるデッキボード１０の裏面を支持するようになっており、パレットＰの中心部近傍の荷重を受ける役割（パレットＰの剛性確保の機能）を担う。すなわち、パレットＰの載置面Ｒ（図１参照）の中央部の荷重を受ける役割を担う。
なお、アーム５２の支持片５２ｂは、アーム５１との交差部を挟んで、両側に分離して形成されている。
このように構成したのは、リンク部材５４が動作する際（アーム５１、５２の交差角が変化する際）に、アーム５１の支持片５１ｂとアーム５２の支持片５２ｂとが干渉（衝突）することを避けるためである。
【００５８】
また、支持片５１ｂ、５２ｂは、上記の役割（パレットＰの剛性確保の機能）を担うため、その長さ寸法が大きい方が望ましい。
具体的には、支持片５１ｂ、５２ｂの長さ寸法は、下部ベース６１がパレットＰの長さ方向（Ｘ方向）に広がっていない状態（図１７（ａ）の状態）において、下部ベース６１のＹ方向における両端からはみ出さない範囲（図中のＹｕ線とＹｄ線と間の範囲）で最大の長さ寸法に形成されていることが望ましい。同様に、ケース体５５、５６も構造や伸縮動作上支障が無い範囲で最長の長さ寸法に形成されていることが望ましい。
【００５９】
また、本実施形態では、「中コマ部７０ｃのＹ方向の大きさ寸法Ｌ１」が、「丸コマ部７０ａの直径寸法Ｌ２」に「丸コマ部７０ａの最大可動距離Δｙmax」を加算した大きさより大きく形成されている。
また、丸コマ部７０ａが中コマ部７０ｃの両端（図１７に示すＹａ線とＹｂ線の間）からはみ出さないように配置されている。
なお、上記の「丸コマ部７０ａの最大可動距離Δｙmax」とは、パンタグラフジャッキ５０の操作により移動する丸コマ部７０ａのＹ方向における移動距離の最大値をいう。
【００６０】
具体的には、図１７に示すように、パンタグラフジャッキ５０により、下部ベース６１を移動させると、パンタグラフジャッキ５０を支持している丸コマ部７０ａが移動する（例えば、図１７（ａ）から図１７（ｂ）に示すように丸コマ部７０ａの位置が移動する）。
そして、上記のように、中コマ部７０ｃ及び丸コマ部７０ａを構成することにより、パンタグラフジャッキ５０の操作によりパレットＰの大きさを調節しても（どの大きさに設定しても）、必ず、フォークリフトのフォーク爪９０の間に、丸コマ部７０ａを配置させることができると共に、パレットＰのＸ方向の中心に常に丸コマ部７０ａを保つことができる。
【００６１】
次に、デッキボードユニット１の構成を図１９乃至図２６に基づいて説明する。
ここで、図１９は、本実施形態のデッキボードユニットの構造を示した模式図である。また、図２０は、本実施形態のデッキボードユニットの第１外側デッキボードの構造を示した模式図であり、図２０（ａ）は、第１外側デッキボードを裏面から見た模式図であり、図２０（ｂ）は、第１外側デッキボードの断面を示した模式図である。
また、図２１は、本実施形態のデッキボードユニットの第１内側デッキボードの構造を示した模式図であり、図２１（ａ）は、第１内側デッキボードを裏面から見た模式図であり、図２１（ｂ）は、第１内側デッキボードの断面を示した模式図である。
また、図２２及び図２３は、本実施形態のデッキボードユニットのジャッキ機構の模式図である。
また、図２４及び図２５は、本実施形態のデッキボードユニットを構成するパンタグラフ機構とジャッキ機構との接続構造を説明するための模式図である。
また、図２６は、本実施形態のデッキボードユニットを構成するパンタグラフ機構の模式図である。
【００６２】
図１９に示すように、デッキボードユニット１は、並列に配置された複数のデッキボード１０と、複数のデッキボード１０の裏面に取り付けられたＹ方向（デッキボード１０の短手方向）に伸縮するパンタグラフ機構２０（２０ａ、２０ｂ）と、パンタグラフ機構２０を伸縮動作させるジャッキ機構３０とを備えている。
以下、「デッキボード１０」、「パンタグラフ機構２０」、「ジャッキ機構３０」の順に各構成を詳細に説明する。
【００６３】
先ず、複数のデッキボード１０の構造を説明する。
複数のデッキボード１０は、第１外側デッキボード１０ａと、第１内側デッキボード１０ｂと、中央デッキボード１０ｃと、第２内側デッキボード１０ｄと、第２外側デッキボード１０ｅとにより構成されている。
また、前記デッキボード１０は、図示するＹ方向の一端側から他端側に向かって、第１外側デッキボード１０ａ、第１内側デッキボード１０ｂ、中央デッキボード１０ｃ、第２内側デッキボード１０ｄ、第２外側デッキボード１０ｅの順に並列に配置されている。
なお、これらのデッキボード１０は、例えば、木材により形成されている。
【００６４】
また、図１９及び図２０に示すように、第１外側デッキボード１０ａ（又は第２外側デッキボード１０ｅ）は、平面視長方形の板材を長手方向（Ｙ方向）の途中で２分割に切断して形成された平面視Ｌ字形状の第１ボード１０ａ１（又は第１ボード１０ｅ１）と、平面視Ｌ字形状の第２ボード１０ａ２（又は第２ボード１０ｅ２）とにより構成されている。
なお、「第１ボード１０ａ１（又は第１ボード１０ｅ１）」及び「第２ボード１０ａ２（又は第２ボード１０ｅ２）」は、いずれも、切断面が段差状に形成され、互いの切断面（段差部）を当接させて嵌め合わせた状態にすると、平面視長方形に形成されるようになっている。
【００６５】
また、「第１ボード１０ａ１（又は第１ボード１０ｅ１）」及び「第２ボード１０ａ２（又は第２ボード１０ｅ２）」は、いずれも、裏面に矩形凹状のガイド溝１０ａ３が形成されている。このガイド溝１０ａ３には、パンタグラフ機構２０の自由端に取り付けられた摺動ピン２３が摺動自在に挿入されるようになっている。
【００６６】
また、図１９及び図２１に示すように、第１内側デッキボード１０ｂ（又は第２内側デッキボード１０ｄ）は、平面視長方形の板材を長手方向（Ｙ方向）の途中で２分割に切断して形成された平面視Ｌ字形状の第１ボード１０ｂ１（又は第１ボード１０ｄ１）と、平面視Ｌ字形状の第２ボード１０ｂ２（又は第２ボード１０ｄ２）とにより構成されている。
なお、「第１ボード１０ｂ１（又は第１ボード１０ｄ１）」及び「第２ボード１０ｂ２（又は第２ボード１０ｄ２）」は、いずれも、切断面が段差状に形成され、互いの切断面（段差部）を当接させて嵌め合わせた状態にすると、平面視長方形に形成されるようになっている。
【００６７】
また、図１９に示すように、「第１ボード１０ｂ１（又は第１ボード１０ｄ１）」及び「第２ボード１０ｂ２（又は第２ボード１０ｄ２）」は、その裏面に、パンタグラフ機構２０のアーム２１ａ、２１ｂの交差部を連結した第１枢軸ピン２１ｃが回転自在に取り付けられるようになっている。
なお、後述するが、第１枢軸ピン２１ｃの端部（下端部）には、ランナー１５が取り付けられている。
【００６８】
また、図１９に示すように、中央デッキボード１０ｃは、平面視長方形の板材を長手方向（Ｙ方向）の途中で２分割に切断して形成された平面視長方形の第１ボード１０ｃ１と、平面視長方形状の第２ボード１０ｃ２とにより構成されている。
また、中央デッキボード１０ｃと、前記第１内側デッキボード１０ｂとの間には、ジャッキ機構３０が配置されている。
そして、本実施形態では、第１ボード１０ｃ１の長手側の側面に、ジャッキ機構３０を構成するケース体３２が固定されている。また、第２ボード１０ｃ２の長手側の側面には、ジャッキ機構３０を構成するケース体３３が固定されている。
このように構成することにより、ケース体３２，３３は、Ｙ方向には移動することなく、デッキボードストッパ８３に沿って、Ｘ方向にのみ移動可能となされている。
なお、ケース体３２，３３をＹ方向に移動させず、Ｘ方向にのみ移動可能とする構成にあっては、上記構成に限らない。例えば、第１ボード１０ｃ１、第２ボード１０ｃ２が下部ベース６１に固定され、ケース体３２、３３がスライドレール（第１ボード１０ｃ１、第２ボード１０ｃ２に取り付けられたスライドレース）等によって、Ｘ方向にスライドする構造になっていても良い。
【００６９】
また、第１外側デッキボード１０ａを構成する第１ボード１０ａ１は、ベースユニット５を構成する一対のベース部６０のうちの一方のベース部６０（摺動板６２の端部）に取り付けられている（ボルト、ネジ等で固定されている）。
また、第１外側デッキボード１０ａを構成する第２ボード１０ａ２は、ベースユニット５を構成する一対のベース部６０の他方のベース部６０（摺動板６２の端部）に取り付けられている（ボルト、ネジ等で固定されている）。
【００７０】
また、第２外側デッキボード１０ｅを構成する第１ボード１０ｅ１は、ベースユニット５を構成する一対のベース部６０のうち一方のベース部６０（摺動板６２の端部）に取り付けられている（ボルト、ネジ等で固定されている）。
また、第１外側デッキボード１０ｅを構成する第２ボード１０ｅ２は、ベースユニット５を構成する一対のベース部６０のうち他方のベース部６０（摺動板６２の端部）に取り付けられている（ボルト、ネジ等で固定されている）。
【００７１】
このように、本実施形態では、複数のデッキボード１０（第１外側デッキボード１０ａ、第１内側デッキボード１０ｂ、中央デッキボード１０ｃ、第２内側デッキボード１０ｄ、第２外側デッキボード１０ｅ）のうち両端（Ｙ方向における両端）に配置されたデッキボード１０（第１外側デッキボード１０ａ、第２外側デッキボード１０ｅ）がベース部６０（摺動板６２の端部）に固定されるようになっている。
尚、上記構成では、摺動板６２が支持部として機能するが、本発明にあっては、前記支持部は摺動板６２に限定されるものではない。
例えば、本発明に係る寸法可変パレットの構成としては、摺動板６２そのものが無い構成もありうる。その場合、例えば、角コマ部７０ｂに固定されたＬ型支持金具７１に、前記Ｙ方向における両端に配置されたデッキボード１０を直接取り付ける構成となり、Ｌ型支持金具７１（及び角コマ部７０ｂ）が支持部として機能することとなる。
また、この場合、下部ベース６１は、デッキボード１０とＬ型支持金具７１と角コマ部７０ｂの少なくともいずれかと、係合手段（図示せず）によりＹ方向にのみ摺動自在に係合される。前記係合手段は、例えば、係合する一方に設けられたＹ方向に延びるレール（図示せず）と、他方に設けられ、前記レールに沿って摺動自在に係合するランナー（図示せず）により構成することができる。このように構成することにより、パンタグラフジャッキ５０の操作により一対の下部ベース６１をデッキボード１０の長手方向（Ｘ方向）に移動させた（引き離した）際、複数のデッキボード１０の短手側（Ｙ方向）の両端部を揃えた状態で載置面の大きさを変更することができる。
【００７２】
また、第１内側デッキボード１０ｂ及び第２内側デッキボード１０ｄは、いずれも、裏面に取り付けられたランナー１５がベース部６０の第１ガイドレール６４（図１２参照）に摺動自在に挿通されることにより、ベース部６０に取り付けられるようになっている。
このように、第１内側デッキボード１０ｂ及び第２内側デッキボード１０ｄは、ランナー１５を介してベース部６０の第１ガイドレール６４に取り付けられることで、ベース部６０のＸ方向への動作と共に、Ｘ方向に動作するようになっている。
【００７３】
また、第１外側デッキボード１０ａ、第１内側デッキボード１０ｂ、第２内側デッキボード１０ｄ、及び第２外側デッキボード１０ｅの長尺側の両端部には、それぞれ、断面視Ｃ字状のデッキボードガイド１１が当接している。
【００７４】
このデッキボードガイド１１は、例えば、金属により構成されている。
そして、各デッキボード（第１外側デッキボード１０ａ、第１内側デッキボード１０ｂ、第２内側デッキボード１０ｄ、及び第２外側デッキボード１０ｅ）の一方の端部に当接しているデッキボードガイド１１は、ボルト等の固定手段により第１デッキボード（１０ａ１、１０ｂ１、１０ｃ１、１０ｅ１）に固定されている。
また、各デッキボード（第１外側デッキボード１０ａ、第１内側デッキボード１０ｂ、第２内側デッキボード１０ｄ、及び第２外側デッキボード１０ｅ）の他方の端部に当接しているデッキボードガイド１１は、ボルト等の固定手段により第２デッキボード（１０ａ２、１０ｂ２、１０ｃ２、１０ｅ２）に固定されている。
【００７５】
また、図２０（ｂ）に示すように、第１デッキボード１０ａ１（第２デッキボード１０ａ２も同様）は、いずれも、デッキボードガイド１１が当接する位置（長手側の両端部に）に、デッキボードガイド１１の厚さ寸法分凹んだ嵌合溝が形成されている。
上記の構成により、第１デッキボード１０ａ１（第２デッキボード１０ａ２も同様）は、いずれも、デッキボードガイド１１が当接している状態において、上面及び両側面が平坦面を形成する（ツライチとなる）。これにより、平坦な載置面Ｒを有するパレットＰが提供される。
なお、「第１内側デッキボード１０ｂ、第２内側デッキボード１０ｄ及び第２外側デッキボード１０ｅ」は、いずれも、第１外側デッキボード１０ａと同様の構造（デッキボードガイド１１の取り付け構造）を備えている。
【００７６】
次に、パンタグラフ機構２０の構造を説明する。
図１９、図２７に示すように、パンタグラフ機構２０は、一対の板状（又は棒状）のアーム２１ａ、２１ｂをＸ字状に交差させ、その交差部を第１枢軸ピン２１ｃで回転自在に連結したリンク部材２１により構成されている。なお、アーム２１ａ及びアーム２１ｂは、同じ板厚寸法に形成されている。
【００７７】
具体的には、パンタグラフ機構２０は、デッキボード１０の短手方向（Ｙ方向）と平行に２つのリンク部材２１を並べ且つ隣接するリンク部材２１の端部同士（隣接する端部同士）を第２枢軸ピン２２で回転自在に連結した構成が採用されている。
そして、パンタグラフ機構２０は、一方面（裏面）がベースユニット５のベース部６０の上面に載置され、他方面（表面）がデッキボード１０の裏面に取り付けられる（パンタグラフ機構２０は、デッキボード１０とベース部６０との間に挟持される）。
なお、本実施形態のパンタグラフ機構２０は、図２７に示すように、アーム２１ｂを上側（デッキボード１０側）にし、アーム２１ａを下側（ベース部６０側）に配置した状態で、アーム２１ａ及びアーム２１ｂを交差させている。
【００７８】
また、パンタグラフ機構２０は、両側の自由端に摺動ピン２３が取り付けられ、一方の自由端に取り付けられた摺動ピン２３が第１外側デッキボード１０ａの裏面のガイド溝１０ａ３に摺動自在に挿通されるようになっている。
また、他方の自由端に取り付けられた摺動ピン２３が第２外側デッキボード１０ｅのガイド溝１０ａ３に摺動自在に挿通されるようになっている。
なお、図２７に示すように、パンタグラフ機構２０ａの自由端のうち、アーム２１ａの自由端には、アーム２１ｂと同じ板厚寸法のスペーサ（板状部材）２５が取り付けられた上で摺動ピン２３が挿通されている。
【００７９】
上記スペーサ２５により、ベース部６０との当接部（アーム２１ｂ、摺動ピン２３の頭部、スペーサ２５）の垂直方向（図２０（ｂ）に示すＺ方向）の位置を揃えることができる（ツライチにすることができる）。
これにより、パンタグラフ機構２０と外側デッキボード（第１外側デッキボード１０ａ、第２外側デッキボード１０ｅ）との間のガタツキが防止される。
【００８０】
また、パンタグラフ機構２０ａを構成するリンク部材２１の交差部を連結した第１枢軸ピン２１ｃは、その一端部（上端部）が第１内側デッキボード１０ｂ（及び第２内側デッキボード１０ｄ）の裏面に回転自在に挿入される。
また、第１枢軸ピン２１ｃは、他端部側（下端部側）が前記交差部から突出するように形成されており、その下端部にランナー１５が取り付けられている。
そして、前記ランナー１５は、上述したベース部６０の摺動板６２に嵌合している第１ガイドレール６４（図１２参照）に摺動自在に挿通されるようになっている。
【００８１】
また、パンタグラフ機構２０を構成するリンク部材２１の端部同士を連結した２つの第２枢軸ピン２２が、ジャッキ機構３０に取り付けられている。
具体的には、図１９に示すように、パンタグラフ機構２０のリンク部材２１の端部同士を連結した２つの第２枢軸ピン２２の一方がジャッキ機構３０のケース体３２（又はケース体３３）に回転自在に取り付けられている。
また、前記第２枢軸ピン２２の他方がジャッキ機構３０のケース体３２（又はケース体３３）の下面部に形成されたガイド溝３２ａ（又はガイド溝３３ａ）に回転及び摺動自在に挿通され、且つジャッキ機構３０の可動連結部３４（又は可動連結部３５）に連結されている。
【００８２】
上記の構成により、ジャッキ機構３０の可動連結部３４、３５を移動させることにより、デッキボード１０の裏面に取り付けられたパンタグラフ機構２０をＹ方向に伸縮させることができる。
上記伸縮動作により、各デッキボード１０の向き（長手方向（Ｘ方向）の向き）を揃えた状態で、短手方向（Ｙ方向）と平行にデッキボード１０を移動させることができる。すなわち、上記の伸縮動作により、隣接するデッキボード１０同士の間隔を変更することができる（広げたり、狭めたりすることができる）。
【００８３】
次に、ジャッキ機構３０の構造を説明する。
なお、ジャッキ機構３０は、上述したジャッキ機構５７と同様、周知の「ねじ式ジャッキ」の構成により実現されるものであるため、その説明を簡略化する。
図１９、図２２、図２３に示すように、ジャッキ機構３０は、中央デッキボード１０ｃの側面に取り付けられたケース体３２及びケース体３３と、ケース体３２及びケース体３３の間に配置された中空角筒状の連結部３６と、ケース体３２を貫通するスクリューロッド（棒状のボルト）３１ａと、ケース体３３を貫通するスクリューロッド（棒状のボルト）３１ｂとを有している。
なお、図示するケース体３２及びケース体３３は、便宜上、蓋が設けられていないが、特にこれに限定されるものではない（蓋が設けられていてもよい）。
【００８４】
また、スクリューロッド３１ａには、スクリューロッド３１ａの軸上を該軸方向（Ｘ方向）に往復移動する可動連結部３４が挿通されている。また、スクリューロッド３１ｂには、スクリューロッド３１ｂの軸上の該軸方向（Ｘ方向）に往復移動する可動連結部３５が挿通されている。
なお、ケース体３２には、スクリューロッド３１ａを固定する固定部材３７（図２３参照）が取り付けられている。また、ケース体３３には、スクリューロッド３１ｂを固定する固定部材３７（図２２参照）が取り付けられている。
【００８５】
具体的には、図２２及び図２３に示すように、ケース体３２及びケース体３３は、いずれも、中空の箱状に形成されている。また、上述したように、ケース体３２は、第１ボード１０ｃ１の側面に取り付けられ、ケース体３３は、第２ボード１０ｃ２の側面に取り付けられている。
また、図２４及び図２５に示すように、ケース体３２（又はケース体３３）は、その下面部にガイド溝３２ａ（又はガイド溝３３ａ）が形成されている。
また、スクリューロッド３１ａとスクリューロッド３１ｂとが、中空角筒状の連結部３６を介して接続されている。
【００８６】
また、図２３に示すように、スクリューロッド３１ａは、ケース体３２の一端側（図中の下端側）の側面（短手側側面）から他端側（図中の上端側）の側面（短手側側面）を貫通し、さらに、ケース体３２の他端側の側面に隣接して配置した連結部３６の筒内に挿通されている（スクリューロッド３１ａの上端部が連結部３６の筒内まで延びている）。
また、スクリューロッド３１ａは、棒状部にネジが形成されていると共に、一端部側がケース体３２の短手側の側面から突出し、その突出した一端部に環状の操作部３１ａ１が形成されている。
また、スクリューロッド３１ａの上端部（図中における上端部）には、連結部３６の筒内に内嵌（当接）し且つ連結部３６の軸方向を摺動自在に動作する嵌合部３１ａ２が形成されている。
そして、スクリューロッド３１ａは、操作部３１ａ１を回転操作すると軸線（回転軸）を中心に回転する。また、上記のようにスクリューロッド３１ａが回転すると、その回転にあわせて、スクリューロッド３１ａの嵌合部３１ａ２が内嵌した連結部３６が回転するようになっている。
【００８７】
また、図２２に示すように、スクリューロッド３１ｂは、ケース体３３の一端側（図中の下端側）の側面（短手側側面）を貫通して他端側（図中の上端側）の側面（短手側側面）まで延設されている。
また、スクリューロッド３１ｂは、その一端側（図中の下端側）が、ケース体３２の一端側の側面に隣接させて配置した連結部３６の筒内に挿通している（図２２に示す下端部が連結部３６の筒内まで延びている）。
【００８８】
また、スクリューロッド３１ｂの下端部（図中における下端部）には、連結部３６の筒内に内嵌している嵌合部３１ｂ２が形成されている。
この構成により、スクリューロッド３１ａを回転させると、それにともない回転する連結部３６の回転にあわせて、スクリューロッド３１ｂが回転するようになっている。
なお、連結部３６の他端部（図２２における上端部）は、ケース体３３の一端側の側面（短手側側面）に固定されている。
【００８９】
また可動連結部３４（及び可動連結部３５）は、スクリューロッド３１ａ（及びスクリューロッド３１ｂ）が挿通される貫通孔が形成され、その貫通孔の内周部に前記棒状部のネジに螺合するネジ部が形成されている。
また、可動連結部３４（図２３、図２４参照）は、ケース体３２の内部に配置され、ケース体３２のガイド溝３２ａに摺動自在に挿通された第２枢軸ピン２２（隣接するリンク部材２１同士を連結した第２枢軸ピン２２）が取り付けられている。
また、可動連結部３５（図２２、図２５参照）は、ケース体３３の内部に配置され、ケース体３３のガイド溝３３ａに摺動自在に挿通された第２枢軸ピン２２が取り付けられている。
【００９０】
上記の構成により、ジャッキ機構３０の操作部３１ａ１によりスクリューロッド３１ａを回転させることにより、連結部３６を介して、スクリューロッド３１ｂが回転する。
これにより、スクリューロッド３１ａに螺合した可動連結部３４（及びスクリューロッド３１ｂに螺合した可動連結部３５）を移動させ、これにより、可動連結部３４、３５に接続された第２枢軸ピン２２を移動させ（Ｘ方向に移動させ）、パンタグラフ機構２０ａ、２０ｂの菱形枠を伸縮させることができる（リンク部材２１の交差角を変えてパンタグラフ機構２０ａ、２０ｂをＹ方向に伸縮させることができる）。
【００９１】
そして、ジャッキ機構３０を操作することで、各デッキボード１０の向き（長手方向（Ｘ方向）の向き）を揃えた状態で、パンタグラフ機構２０の中心部を挟んで、デッキボード１０の短手方向（Ｙ方向）に、パンタグラフ機構２０が支持する各デッキボード１０を移動させ隣接するデッキボード１０同士の間隔を変え載置面Ｒの大きさを変更することができる。
なお、上記の場合、「第１外側デッキボード１０ａ及び第１内側デッキボード１０ｂ」は、パンタグラフ機構２０の中心部を挟んで、「第２内側デッキボード１０ｄ及び第２外側デッキボード１０ｅの移動方向」と逆方向に移動する。
【００９２】
以上、説明したように本実施形態によれば、上述した従来技術（図２８（ｂ）参照）のように、載置面Ｒの大きさを変更した際に、載置面Ｒの縁辺部が凸凹形状になることがなく載置面Ｒが略矩形状に保たれるため（デッドスペースが形成されないため）、載置面Ｒを有効活用することができる。
【００９３】
また、本実施形態のパレットＰは、ジャッキ機構３０及びパンタグラフジャッキ５０により、デッキボード１０を移動させ、複数のデッキボード１０により形成される載置面Ｒの大きさを可変するようにしている。
すなわち、本実施形態では、ネジ式のジャッキ（ジャッキ機構３０、パンタグラフジャッキ５０）によりデッキボードを移動させているため、「ミリ単位」でのデッキボード１０の移動が可能となる。すなわち、パレットＰの載置面Ｒの大きさの設定を高精度に行うことができる。
【００９４】
また、本実施形態では、ネジ式ジャッキ（ジャッキ機構３０、パンタグラフジャッキ５０）によりデッキボード１０を移動させているため、従来技術のように手作業でデッキボード１０を移動させる場合に比べ、デッキボード１０を移動させるための労力がかからない（作業者の負担が軽減される）。
また、本実施形態では、ネジ式ジャッキ（ジャッキ機構３０、パンタグラフジャッキ５０）によりデッキボード１０を移動させているため、デッキボード１０の載置面Ｒに荷物を載置した状態のままで、前記ネジ式ジャッキを操作して載置面Ｒの大きさを変更することができる。すなわち、パレットＰの載置面Ｒに荷物を載せたままで、載置面の大きさを微調整ができるため、作業負担が軽減される。
また、ジャッキ機構３０及びパンタグラフジャッキ５０によれば、デッキボード１０の移動動作と固定動作を一緒に（同じ操作で）行うことができるため、上述した従来技術のような面倒なロック作業が不要になる。
【００９５】
また、本実施形態によれば、載置面Ｒの大きさを「デッキボードの長手方向（Ｘ方向）」及び「デッキボードの短手方向（Ｙ方向）」のいずれにも調節することができる。
具体的には、デッキボードユニット１のジャッキ機構３０を操作することにより、載置面の大きさ寸法を「デッキボード１０の短手方向（Ｙ方向）」にだけ載置面Ｒを伸縮させ固定することができる。
また、ベースユニット５のパンタグラフジャッキ５０を操作することにより、「デッキボードの長手方向（Ｘ方向）」にだけ載置面Ｒを伸縮させ固定することができる。
また、ジャッキ機構３０及びパンタグラフジャッキ５０の両者を操作することにより、載置面Ｒを「デッキボードの長手方向」及び「デッキボードの短手方向」の両方向に載置面を伸縮させ固定することができる。
すなわち、本実施形態によれば、載置対象の荷物に形状に合わせて最適な大きさになるように載置面Ｒを調節することができる。
なお、本発明は、上述した実施形態に限定されるものではなく、その要旨の範囲内において種々の変形が可能である。
【００９６】
上述した実施形態では、デッキボードユニット１のパンタグラフ機構２０により、デッキボード１０をＹ方向に変位させ、ベースユニット５のパンタグラフジャッキ５０によりデッキボード１０をＸ方向に変位させているが（２方向に変位させているが）、特にこれに限定されるものではない。
【００９７】
例えば、図２７に示すように、デッキボードユニット１にパンタグラフ機構を設けず、ベースユニット５のパンタグラフジャッキ５０だけで、デッキボード１０をＸ方向に変位させる構成にしてもよい（１方向にだけ変位させるようにしてもよい）。
なお、図２７では、説明の便宜上、上述した実施形態と同様の構造及び相当する構造には同じ符号を付している。
【００９８】
図示するように、パレットＰは、複数の板状のデッキボード１０を並列に配置して形成された矩形状の載置面を有するデッキボードユニット２と、デッキボードユニット２が搭載されるベースユニット６とを備えている。
また、ベースユニット６は、パレットＰの中央部に配置されたパンタグラフジャッキ５０と、パンタグラフジャッキ５０の両側に取り付けられた一対のベース部６０とを備えている。
そして、パンタグラフジャッキ５０により、一対のベース部６０がパンタグラフジャッキ５０を挟んでデッキボード１０の長手方向（Ｘ方向）を往復移動できるようになっている。
なお、ベース部６０は、上述した実施形態のような下部ベース６１、摺動板６２、ガイドレール（第１ガイドレール６４、第２ガイドレール６２ｂ）等で構成されている必要はなく、単に、矩形の板状に形成されていればよい。
【００９９】
また、１対のベース部６０の上面には、複数のデッキボード１０により構成されるデッキボードユニット２が載架されている。また、複数のデッキボード１０は、いずれも、一対のベース部のうちのいずれか一方であって且つ隣接して配置されたデッキボード１０とは異なるベース部６０に固定されている。
上記構成により、パンタグラフジャッキ５０でベース部６０を前記長手方向（Ｘ方向）に移動させると、当該移動にともないデッキボード１０が長手方向（Ｘ方向）を移動する（すなわち、各デッキボード１０は、隣接するデッキボード１０と反対方向に移動する）。これにより、載置面の大きさが変更される。
【０１００】
また、上述した実施形態では、並列して配置した複数のデッキボード１０をパンタグラフ機構２０で支持し、このパンタグラフ機構２０を伸縮させることにより、デッキボード１０の位置を変位させていたが、特にこれに限定されるものではない。
例えば、荷物のサイズが大きいために、デッキボード１０の本数を少なくし、隣接するデッキボード１０の間隔を大きくしても良い場合、デッキボード１０の数に応じて（デッキボード１０の数が２、３枚の場合）、パンタグラフ機構２０に変えて、Ｘ字状のリンク機構によりデッキボード１０の位置を変位させるようにしてもよい。
【０１０１】
この場合、例えば、前記リンク機構には、一対の板状若しくは棒状のアームをＸ字状に交差させその交差部を第１枢軸ピン２１ｃで回転可能に連結したものを用いることができる。
そして、前記リンク機構の一方の自由端が第２枢軸ピン２２を介して一方側に配置されたデッキボード１０に取り付けられる（デッキボード１０の長手方向に少なくとも１箇所スライド自在に取り付けられる）。また、前記リンク機構の他方の自由端が該第２枢軸ピン２２を介して他方側に配置されたデッキボード１０に取り付けられる（デッキボード１０の長手方向に少なくとも１箇所スライド自在に取り付けられる）。
また、デッキボード１０が３枚の場合には、例えば、ガイド溝（図示せず）を有する中央デッキボード１０ｃ２をベースユニット５に固定し、前記リンク機構の第１枢軸ピン２１ｃを、前記ガイド溝に摺動自在に挿通してもよい。
また、両側のデッキボード１０は、ベースユニット５の支持部に固定される。
【０１０２】
上記の構成により、前記リンク機構の交差角を変更することにで、デッキボード１０の向きを揃えた状態で、デッキボード１０の短手方向と平行に、デッキボード１０を移動させて隣接する該デッキボード１０同士の間隔を変えて前記載置面Ｒの大きさを変更することができる。
さらに、前記リンク機構にジャッキ機構（例えば、上述した実施形態のようなネジ式ジャッキ機構）を取り付けるようにしてもよい。この場合、前記ジャッキ機構により第２枢軸ピン２２を支持する。
そして、前記ジャッキ機構により第２枢軸ピン２２を移動させることにより、該リンク機構の交差角度を可変することができる（これにより、デッキボード１０が移動する）。
【０１０３】
また、上述したような、アームをＸ字状に交差させて構成されたリンク機構ではなく、複数（４本）のアームを菱形状に連結して構成されたリンク機構を用いるようにしてもよい。
この場合、板状若しくは棒状のアームを４本用意し、４本のアームにより菱形を形成する（説明の都合上、菱形状の４つ角部が、上下左右に形成されているものとする）。
また、４本のアームにより菱形を形成すると、左右の一対の対角部を第１枢軸ピンで回転可能に連結し、上下の一対の対角部を第２枢軸ピン２２で回転可能に連結する。
そして、前記リンク機構の左右の対角部の一方が、第１枢軸ピンを介して、複数のデッキボードのうち一端側に配置されたデッキボード１０に取り付けられ、左右の対角部の他方が、第１枢軸ピンを介して、複数のデッキボードのうち他端側に配置されたデッキボード１０に取り付けられるようになっている。
また、前記菱形状のリンク機構にジャッキ機構を取り付け、前記ジャッキ機構により第２枢軸ピン２２を移動させ、該リンク機構の交差角度を可変するようにしても良い（これにより、デッキボード１０が移動する）。
【０１０４】
このように、本実施形態のパレットＰは、「デッキボード１０の数、長さ、幅及び形状」と、「パンタグラフ機構やリンク機構の数、長さ、幅及び形状」を組み合わせることにより、「基本となるパレットＰ」の載置面Ｒの大きさ、隣接して配置されるデッキボード１０の隙間（幅）、可変できる距離寸法を選択することができる。
【０１０５】
また、上述した実施形態では、パンタグラフ機構２０ａ、２０ｂがデッキボード１０の裏面を支持するようになされているが特にこれに限定されるものではない。
例えば、パンタグラフ機構２０は、複数のデッキボード１０の裏面以外の位置（デッキボード１０の上面やデッキボード１０の内部（板厚方向における内部））に取り付けられ、当該デッキボード１０の位置を変位させるように構成されていてもよい。
【０１０６】
また、上述した実施形態では、デッキボードユニット１のパンタグラフ機構２０にジャッキ機構３０を取り付け、そのジャッキ機構３０によりデッキボード１０のＹ方向の移動及び固定を行っていたが、特にこれに限定されるものではない。
例えば、デッキボードユニット１に、ジャッキ機構３０が設けられていなくてもよい。この場合においても、載置面積を変えてもデッドスペースが形成されない寸法可変パレットを実現することができる。
なお、ジャッキ機構３０を設けない場合には、固定作業が必要になるが、この場合、作業者が手動で、パンタグラフ機構２０の菱形枠を伸縮させ、デッキボード１０の位置を移動させ、その後、ボルト等により、デッキボード１０を固定すればよい。
【０１０７】
また、上述した実施形態では、ベースユニット５が、一対のベース部６０をパンタグラフジャッキ５０により移動させる構成を採用していたが、特にこれに限定されるものではない。
上述したパンタグラフジャッキ５０からジャッキ機構５７の構成だけを外した構成（リンク機構）を採用してもよい。この場合も、載置面積を変えてもデッドスペースが形成されない寸法可変パレットを実現することができる。
なお、ジャッキ機構５７を設けない場合には、固定作業が必要になるが、この場合、作業者が手動でリンク部材５４の交差角を変更してベース部６０上のデッキボード１０を移動させる（固定は、ボルト、ネジ等により行う）。
【０１０８】
また、上述した実施形態のベースユニット５では、ベース部６０を構成する下部ベース６１の上に支持部としての摺動板６２を取り付け、摺動板６２によりデッキボード１０を支持していたが、上述したように、あくまでもこれは一例に過ぎない。
ベース部６０は、デッキボード１０を支持すると共に、デッキボード１０の短手方向（Ｙ方向）に、当該支持したデッキボード１０を移動できる構成であれば、どのような構造でもかまわない。例えば、摺動板６２を省いて、Ｌ型支持金具７１に、直接的にＹ方向両端に配置されたデッキボード１０を固定し、デッキボード１０を支持するように構成してもよい（この場合、Ｌ型支持金具７１が支持部として機能する）。
【０１０９】
また、上述した実施形態では、デッキボードユニット１のジャッキ機構３０及びベースユニット５のパンタグラフジャッキ５０は、いずれも、ねじ式ジャッキの構成を用いているが、特にこれに限定されるものではない。
例えば、ベースユニット５のベース部６０（或いは、デッキボードユニット１のパンタグラフ機構２０）が油圧式ジャッキにより、移動できるように構成されていてもよい。
【０１１０】
また、上述した実施形態では、ジャッキ機構３０のケース体３２、３３が中央デッキボード１０ｃ２に取り付けられている場合を示したが特にこれに限定されるものではない。
例えば、ケース体３２、３３が、中央デッキボード１０ｃ２と同様の形状をそなえていてもよい。
【０１１１】
また、上述した実施形態では、ベースユニット５を構成する下部ベース６１及び摺動板６２が木材により構成されているが特にこれに限定されるものではない。
例えば、下部ベース６１が、パイプ材（金属製の丸管）により矩形の枠状に形成されていてもよい。また、前記枠状の縁部に、上述したＹ方向を往復自在に移動可能なスライド機構（支持部）を設けるようにしてもよい。
【符号の説明】
【０１１２】
Ｐ    パレット
１、２    デッキボードユニット
１０    デッキボード
１０ａ    第１外側デッキボード（デッキボード）
１０ｂ    第１内側デッキボード（デッキボード）
１０ｃ    中央デッキボード（デッキボード）
１０ｄ    第２内側デッキボード（デッキボード）
１０ｅ    第２外側デッキボード（デッキボード）
１０ａ１、１０ｂ１、１０ｄ１、１０ｅ１    第１ボード（デッキボード）
１０ａ２、１０ｂ２、１０ｄ２、１０ｅ２    第２ボード（デッキボード）
１０ｃ１    第１ボード（デッキボード）
１０ｃ２    第２ボード（デッキボード）
１０ａ３    ガイド溝（デッキボード）
１１    デッキボードガイド
１５    ランナー
２０、２０ａ、２０ｂ    パンタグラフ機構
２１    リンク部材（パンタグラフ機構）
２１ａ、２１ｂ    アーム（リンク部材（パンタグラフ機構））
２１ｃ    第１枢軸ピン（リンク部材（パンタグラフ機構））
２２    第２枢軸ピン（パンタグラフ機構）
２３    摺動ピン（パンタグラフ機構）
２５    スペーサ（パンタグラフ機構）
３０    ジャッキ機構
３１ａ、３１ｂ    スクリューロッド（ジャッキ機構）
３１ａ１    操作部
３１ａ２、３１ｂ２    嵌合部
３２、３３    ケース体（ジャッキ機構）
３４、３５    可動連結部（ジャッキ機構）
３７    固定部材（ジャッキ機構）
３６    連結部（ジャッキ機構）
５、６    ベースユニット
５０    パンタグラフジャッキ（第２ジャッキ機構）
５１、５２    アーム（パンタグラフジャッキ）
５１ａ、５１ｂ    基部（アーム（パンタグラフジャッキ））
５１ｂ、５２ｂ    支持片（アーム（パンタグラフジャッキ））
５３ａ    枢軸ピン（パンタグラフジャッキ）
５３ｂ１、５３ｂ２    枢軸ピン（パンタグラフジャッキ）
５３ｃ１、５３ｃ２    摺動ピン（パンタグラフジャッキ）
５４    リンク部材（パンタグラフジャッキ）
５５、５６    ケース体（パンタグラフジャッキ）
５５ａ、５６ａ    ガイド溝（パンタグラフジャッキ）
５５ｄ    孔（パンタグラフジャッキ）
５７    ジャッキ機構（パンタグラフジャッキ）
５７ａ    スクリューロッド（パンタグラフジャッキ）
５７ｂ    固定部材（パンタグラフジャッキ）
５７ｃ    可動連結部（ジャッキ機構（パンタグラフジャッキ））
６０    ベース部
６１    下部ベース（ベース部）
６４    第１ガイドレール（下部ベース）
６５    ブロック材（下部ベース）
６２    摺動板（支持部、ベース部）
６２ａ    溝（摺動板）
６２ｂ    第２ガイドレール（摺動板）
６２ｂ１    開口（第２ガイドレール（摺動板））
６３    板材（ベース部）
７０    脚部（ベース部）
７０ａ    丸コマ部（脚部）
７０ｂ    角コマ部（脚部）
７０ｃ    中コマ部（脚部）
７１      Ｌ型支持金具（支持部、ベース部）
８１    外側ベースガイド（ベース部）
８１ａ    切欠き（外側ベースガイド）
８２    内側ベースガイド
８３    デッキボードストッパ
８４    デッキボードストッパ
【図１】
0005961351.tif 000002
【図２】
0005961351.tif 000003
【図３】
0005961351.tif 000004
【図４】
0005961351.tif 000005
【図５】
0005961351.tif 000006
【図６】
0005961351.tif 000007
【図７】
0005961351.tif 000008
【図８】
0005961351.tif 000009
【図９】
0005961351.tif 000010
【図１０】
0005961351.tif 000011
【図１１】
0005961351.tif 000012
【図１２】
0005961351.tif 000013
【図１３】
0005961351.tif 000014
【図１４】
0005961351.tif 000015
【図１５】
0005961351.tif 000016
【図１６】
0005961351.tif 000017
【図１７】
0005961351.tif 000018
【図１８】
0005961351.tif 000019
【図１９】
0005961351.tif 000020
【図２０】
0005961351.tif 000021
【図２１】
0005961351.tif 000022
【図２２】
0005961351.tif 000023
【図２３】
0005961351.tif 000024
【図２４】
0005961351.tif 000025
【図２５】
0005961351.tif 000026
【図２６】
0005961351.tif 000027
【図２７】
0005961351.tif 000028
【図２８】
0005961351.tif 000029